【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
シェル本体内をセンターシェルにより前・後２室に分割すると共に、この分割した前・後２室のそれぞれを、ダイアフラムを備えた前・後パワーピストンにより定圧室と変圧室とに分割し、前記後側パワーピストンに支持されカップ部と筒状部とからなるバルブボデー内に、ブレーキペダルから延ばした入力軸と連動して前記定圧室と前記変圧室とに差圧を発生させる弁機構と、前記弁機構の作動を前記入力軸から独立して制御するソレノイドとを配設し、前記定圧室と前記変圧室とに発生する差圧により各パワーピストンを推進して、その推力を出力軸に伝達し、かつ反力の一部をリアクションディスクから前記入力軸に伝達するようにした気圧式倍力装置において、前記前側パワーピストンに、その内径部位から前記バルブボデーのカップ部内に挿入されて後方へ延びる内径筒部を一体に設け、該内径筒部に、前記ソレノイドを納めた環状のソレノイドハウジングを係止させ、前記ソレノイドハウジングは、その外面に後側パワーピストンの推力を前記バルブボデーを介して受ける推力受面を設けると共に、その内面で前記出力軸を支承することを特徴とするタンデム型気圧式倍力装置。
【請求項２】
ソレノイドハウジングの外周面に鍔部を設け、該鍔部の端面を推力受面として用いて、該鍔部にバルブボデーのカップ部内面に設けた段差面を係合させたことを特徴する請求項１に記載のタンデム型気圧式倍力装置。
【請求項３】
ソレノイドハウジングの外周面に設けた鍔部を、前記パワーピストンの内径筒部に対する係止部分として共用したことを特徴する請求項２に記載のタンデム型気圧式倍力装置。
【手続補正２】
【補正対象書類名】明細書
【補正対象項目名】００１０
【補正方法】変更
【補正の内容】
【００１０】
【課題を解決するための手段】
上記第１の課題を解決するため、第１の発明は、シェル本体内をセンターシェルにより前・後２室に分割すると共に、この分割した前・後２室のそれぞれを、ダイアフラムを備えた前・後パワーピストンにより定圧室と変圧室とに分割し、前記後側パワーピストンに支持されカップ部と筒状部とからなるバルブボデー内に、ブレーキペダルから延ばした入力軸と連動して前記定圧室と前記変圧室とに差圧を発生させる弁機構と、前記弁機構の作動を前記入力軸から独立して制御するソレノイドとを配設し、前記定圧室と前記変圧室とに発生する差圧により各パワーピストンを推進して、その推力を出力軸に伝達し、かつ反力の一部をリアクションディスクから前記入力軸に伝達するようにした気圧式倍力装置において、前記前側パワーピストンに、その内径部位から前記バルブボデーのカップ部内に挿入されて後方へ延びる内径筒部を一体に設け、該内径筒部に、前記ソレノイドを納めた環状のソレノイドハウジングを係止させ、前記ソレノイドハウジングは、その外面に後側パワーピストンの推力を前記バルブボデーを介して受ける推力受面を設けると共に、その内面で前記出力軸を支承することを特徴とする。
【手続補正３】
【補正対象書類名】明細書
【補正対象項目名】００１２
【補正方法】変更
【補正の内容】
【００１２】
また、上記第２の課題を解決するための第２の発明は、上記構成の第１の発明において、ソレノイドハウジングの外周面に鍔部を設け、該鍔部の端面を推力受面として用いて、該鍔部にバルブボデーのカップ部内面に設けた段差面を係合させる構成としたことを特徴とする。このように構成したタンデム型気圧式倍力装置においては、バルブボデーのカッブ部内面に設けた段差面がソレノイドハウジングとの当接面となるので、バルブボデーの加圧部の肉厚が実施的に拡大する。また、この第２の発明においては、ソレノイドハウジングの外周面に設けた鍔部を、前記パワーピストンの内径筒部に対する係止部分として共用することができ、この場合は、組立が簡単となる。
【手続補正４】
【補正対象書類名】明細書
【補正対象項目名】００１６
【補正方法】変更
【補正の内容】
【００１６】
バルブボデー３２のカップ部３２ａ内には、ソレノイド３７を納めた環状のソレノイドハウジング（以下、単にハウジングという）３８が配設されている。このハウジング３８は、前端面および内周面を確定する本体３９と外周面および後端面を確定するカバー４０とからなっており、両者は、本体３９に対してカバー４０をかしめ止めすることにより一体化されている。しかして、このハウジング３８のカバー４０の前端側外周面には鍔部４１が設けられ、一方、前側パワーピストン２６には、バルブボデー３２のカップ部３２ａに挿入され、かつ前記鍔部４１に係合可能な係止部４２を内側に有する内径筒部４３が一体に設けられている。ハウジング３８は、その外周の鍔部４１を前記内径筒部４３の係止部４２に着座させることで前側パワーピストン２６に保持されると共に、その前端面とフロントシェル２１との間に介装した戻しばね４４により軸方向移動しないように押えられている。また、バルブボデー３２のカップ部３２ａの内面には段差部４５（段差面）が設けられており、この段差部４５が前記内径筒部４３の係止部４２を介して前記ハウジング３８の鍔部４１に突き当てられている。
【手続補正５】
【補正対象書類名】明細書
【補正対象項目名】００２２
【補正方法】変更
【補正の内容】
【００２２】
一方、ソレノイド３７を内蔵するハウジング３８内の段付孔４８の大径部分には、リング状のプレート７０と、ゴム製のリアクションディスク７１と出力軸７２の基端大径部とが収納されている。これにより、出力軸７２はハウジング３８に支承されている。前記プレート７０の内径には、上記反力受け６６の先端部が嵌入されており、非作動時には反力受け６６の先端とリアクションディスク７１との間に所定の間隙Ｓ1 が確保されるようになっている。なお、出力軸７２は、フロントシェル２１を気密的に挿通してその前方へ延ばされ、これにはマスタシリンダ（図示略）が作動連結されるようになる。出力軸７２はハウジング３８の前端部に嵌合されかつ戻しばね４４を受ける薄板７３により抜け止めされており、この薄板７３とリアクションディスク７１との間にはわずかの間隙Ｓ3 が確保されている。したがって、この間隙Ｓ3 の範囲内でプレート７０の厚さを調整することで、間隙Ｓ1 を変更することができる。
【手続補正６】
【補正対象書類名】明細書
【補正対象項目名】００２９
【補正方法】変更
【補正の内容】
【００２９】
【発明の効果】
上記したように、本発明に係るソレノイド内蔵のタンデム型気圧式倍力装置よれば、前側パワーピストンに設けた内径筒部にソレノイドハウジングを係止させ、かつこのソレノイドハウジングに出力軸を支承させるようにしたので、前側パワーピストンの推力がバルブボデーに伝達されることはなくなり、その分、バルブボデーに対する強度要求値が低減し、バルブボデーを樹脂製としても、それほど大径に形成する必要はなくなる。また、出力軸を支承する特別の部材が不要になるので、部品点数および組付工数の削減が可能になって製造コストが低減し、その上、ソレノイドハウジングの前方域が大きく開放されているばかりか、前側パワーピストンにもソレノイドハウジングの熱が伝達する機構となって、前側パワーピストン自体が大型の放熱板として機能するので、ソレノイドの放熱性も良好となる。また、ソレノイドハウジングの外周面に鍔部を設け、該鍔部の端面を推力受面として用いて、該鍔部にバルブボデーのカップ部内面に設けた段差面を係合させる構成とした場合は、バルブボデーのカッブ部内面に設けた段差面がソレノイドハウジングとの当接面となるので強度的に有利となり、バルブボデーの軸方向長さを可及的に短縮できる。また、上記ソレノイドハウジングの外周面に鍔部を、パワーピストンの内径筒部に対する係止部として共用した場合は、組立が簡単となる。
【手続補正７】
【補正対象書類名】明細書
【補正対象項目名】図面の簡単な説明
【補正方法】変更
【補正の内容】
【図面の簡単な説明】
【図１】本発明に係るソレノイド内蔵のタンデム型気圧式倍力装置の全体構造を示す断面図である。
【図２】 HYPERLINK "http://www6.ipdl.ncipi.go.jp/Tokujitu/tjitemdrw.ipdl?N0000=231&N0500=1E#N/;%3e%3e%3e=6776///&N0001=626&N0552=9&N0553=000003" \t "tjitemdrw" 図１に示したタンデム型気圧式倍力装置の要部構造を示す断面図である。
【図３】従来のタンデム型気圧式倍力装置の要部構造を示す断面図である。
【符号の説明】
２０ シェル本体
２３ センターシェル
２４，２５ ダイアフラム
２６，２７ パワーピストン
２８，２９ 定圧室
３０，３１ 変圧室
３２ バルブボデー
３６ 弁機構
３７ ソレノイド
３８ ソレノイドハウジング
４１ 鍔部
４２ 前側パワーピストンの内径筒部の係止部（係止部分）
４３ 前側パワーピストンの内径筒部
４５ バルブボデーのカップ部内周面の段差部（段差面）
４９ スリーブ
５０ 弁座部材
５１ 大気用弁座
５３ プランジャ
５４ 反力調整機構
５５ 入力軸
７０ リング状プレート
７１ リアクションディスク
７２ 出力軸